(57)【要約】【課題】パチンコ遊技機全体のサイズを変更することなく遊技領域を拡大する。【解決手段】裏側誘導部材１１１は、前記遊技領域１２の裏側に設けられ、前記打球発射装置１０１に打ち出された遊技球を前記遊技領域１２の上側に導く。変向誘導部材１１２は、前記遊技領域１２の上側に設けられ、前記裏側誘導部材１１１から送り出された遊技球を誘導方向の変向を可能にした状態で誘導して隙間部１１４から遊技領域１２に落下させる。変向誘導部材駆動手段１１３は、前記操作ハンドル９ａの操作に基づいて前記変向誘導部材１１２の誘導方向を変向する。このような構造によりパチンコ遊技機１全体のサイズを変更することなく遊技領域１２を拡大できる。【選択図】図２
2007236795.tif 000002
【特許請求の範囲】
【請求項１】
操作ハンドルの操作により駆動する打球発射手段に遊技球が打ち出されて当該遊技球が遊技領域に導かれ、当該遊技領域に導かれた遊技球が入賞具に入賞することで所定数の賞球を払い出すパチンコ遊技機であって、
前記遊技領域の裏側に設けられ、前記打球発射手段に打ち出された遊技球を前記遊技領域の上側に導く裏側誘導部材と、
前記遊技領域の上側に設けられ、前記裏側誘導部材から送り出された遊技球を誘導方向の変向を可能にした状態で誘導して前記遊技領域に落下させる変向誘導部材と、
前記操作ハンドルの操作に基づいて前記変向誘導部材の誘導方向を変向する変向誘導部材駆動手段と、
を備えることを特徴とするパチンコ遊技機。
【発明の詳細な説明】
【技術分野】
【０００１】
本発明は、打球発射装置により遊技球を遊技領域に打ち出し、この遊技領域に導かれた遊技球が入賞具に入賞することで所定数の賞球を払い出すパチンコ遊技機に関する。
【背景技術】
【０００２】
従来、パチンコ遊技機は、例えば特許文献１に示されているように、縦長の方形状に枠組形成された外枠と、該外枠の一側に開閉自在に軸支される前面枠とを有し、該前面枠の裏面に遊技盤取付枠を介して遊技盤が着脱自在に装着されている。また、パチンコ遊技機は、遊技球が球送り装置によって１球ずつ発射レール上に送り出され、送り出された遊技球が打球発射装置のハンマーに打ち出されて遊技盤の外レールに沿って遊技領域に導かれ、この遊技領域に導かれた遊技球が入賞具に入賞することで所定数の賞球を払い出すようになっている。
【０００３】
【特許文献１】特開２００２−０２８３２９号公報
【発明の開示】
【発明が解決しようとする課題】
【０００４】
しかしながら、上述した従来のパチンコ遊技機によれば、遊技盤の外レールに沿って遊技球が遊技盤に導かれるため、遊技領域を外レールより内側に設けなければならず、また、遊技盤取付枠は業界内で一定の規格が採用されているため、遊技領域を拡大するのが困難であり、パチンコ遊技機に設ける液晶表示装置の大画面化を困難にする要因になっていた。
【０００５】
本発明は、こうした従来の問題に鑑みてなされたものであり、全体のサイズを変更することなく遊技領域を拡大することができるパチンコ遊技機を提供することを目的としている。
【課題を解決するための手段】
【０００６】
上述した課題を解決するため、請求項1に記載の発明は、操作ハンドルの操作により駆動する打球発射手段に遊技球が打ち出されて当該遊技球が遊技領域に導かれ、当該遊技領域に導かれた遊技球が入賞具に入賞することで所定数の賞球を払い出すパチンコ遊技機であって、前記遊技領域の裏側に設けられ、前記打球発射手段に打ち出された遊技球を前記遊技領域の上側に導く裏側誘導部材と、前記遊技領域の上側に設けられ、前記裏側誘導部材から送り出された遊技球を誘導方向の変向を可能にした状態で誘導して前記遊技領域に落下させる変向誘導部材と、前記操作ハンドルの操作に基づいて前記変向誘導部材の誘導方向を変向する変向誘導部材駆動手段と、を備えることを特徴とする。
【０００７】
請求項１に記載のパチンコ遊技機によれば、前記打球発射手段に打ち出された遊技球を前記遊技領域の裏側に設けられた裏側誘導部材を介して前記遊技領域の上側に導くので、全体のサイズを変更することなく遊技領域を拡大することができる。
【発明の効果】
【０００８】
本発明のパチンコ遊技機によれば、全体のサイズを変更することなく遊技領域を拡大することができるので、遊技領域の設計の自由度が高まり、遊技領域に設ける役物や画像表示装置を大型化する等を行える。
【発明を実施するための最良の形態】
【０００９】
以下、本発明に係るパチンコ遊技機の好適な一実施形態をパチンコ遊技機を例に図面を参照して説明する。尚、図１は、パチンコ遊技機１の表側側の外観構造を表した正面図、図２は、パチンコ遊技機１のガラス扉６を取り外し上球皿ユニット７を開いた状態を示す正面図、図３はパチンコ遊技機１の裏面側の構造を表した図、図４はパチンコ遊技機１の上部の断面図、図５は変向誘導部材１１２及びその周辺部の断面図、図６は変向誘導部材駆動手段１１３のブロック図である。
【００１０】
図１において、パチンコ遊技機１は、機枠又は機体として所定の外郭方形枠サイズに構成された固定保持用の外枠２と、この外枠２の前側に設けられ、この外枠２に合わせて方形枠サイズに構成された前枠３とを備えている。
【００１１】
前枠３は、正面左側上下部に配設された開閉連結支持機構４ａ、４ｂを介して外枠２に開閉（片持ち横開き）可能に組付けるとともに、正面右側内部に配設された施錠装置５を利用して閉鎖状態に保持されている。
【００１２】
前枠３の正面側には、前枠３の前側面域に合わせた方形状のガラス扉６及び上球皿ユニット７が共に横開き開閉及び着脱が可能に組付けられており、施錠装置５および図示しないロック機構を利用して前枠３の前面を覆う閉止状態で保持されている。
【００１３】
上球皿ユニット７には、払い出された遊技球を貯留して整列させる球皿部７ａが設けられるとともに、球皿部７ａに貯留する遊技球を下球皿８に排出させる球抜きレバー７ｂが設けられている。球皿部７ａの左下側には演出用の放音部７ｃが設けられている。
【００１４】
上球皿ユニット７の放音部７ｃの内側には、パチンコ遊技機１のゲームに係る効果音又は遊技の進行を音声で案内するためのスピーカ７ｄ（図２参照）が設けられている。
【００１５】
また、前枠３の下部には、球皿部８ａおよび球出口８ｂを有する下球皿８が設けられ、この下球皿８と並んで打球発射装置９が設けられている。打球発射装置９には遊技球の発射操作を行う操作ハンドル９ａが取り付けられている。操作ハンドル９ａには、遊技者の指により回動操作が行われる操作レバー９ｂが設けられている。
【００１６】
前枠３の裏側には、この前枠３と一体に方形枠状の収容枠１０（図３参照）が成形されている。
【００１７】
さらに、前枠３には、パチンコゲームを展開し得る遊技盤１１が、前記収容枠１０（図３参照）の収容面域に対して着脱交換可能にセット保持されている。遊技盤１１は、前面の遊技領域１２を前記ガラス扉６の正面に臨ませており、前枠３の裏側に裏機構１３（図３参照）を装備している。
【００１８】
遊技盤１１は、所定板厚の積層合板の表面にセルが貼り付けられた化粧板１４の前面側に遊技領域１２が区画されている。
【００１９】
遊技領域１２内には、多数本の遊技釘１５とともに、複数の風車１６、一般入賞具１７や始動入賞具１８並びにアタッカー入賞具１９などの入賞具、液晶表示装置１００などが設けられている。
【００２０】
一般入賞具１７は、遊技球が落入可能な入賞孔を有し、ここに入賞した遊技球を検出する入賞球検出センサ（具体的には、遊技球の通過を磁気的、光学的または電気的手段等により検出するセンサ）が取り付けられている。
【００２１】
始動入賞具１８は、いわゆる電動チューリップ構成の入賞具からなり、左右のチューリップ羽根１８ａ、１８ｂを開閉させることができる。この始動入賞具１８にも入賞した遊技球を検出する入賞球検出センサが取り付けられる。
【００２２】
アタッカー入賞具１９は、中央に横長方形状の開口からなる大入賞口を有し、この大入賞口を開閉自在に覆って開閉扉１９ａが取り付けられている。開閉扉１９ａは通常閉止されており、遊技中において所定の遊技条件の下で特別遊技状態が成立したときに、開閉扉１９ａが前方にほぼ９０度倒されて大入賞口が開放されている。このアタッカー入賞具１９の大入賞口内にも入賞球検出センサが取り付けられる。
【００２３】
一般入賞具１７、始動入賞具１８及びアタッカー入賞具１９の後側には化粧板１４を貫通するセーフ球通路孔（不図示）が設けられている。一般入賞具１７、始動入賞具１８及びアタッカー入賞具１９に入賞したセーフ球はセーフ球通路孔を通って遊技盤１１の裏面側に排出されている。
【００２４】
遊技領域１２の最下部には、入賞具１７、１８、１９に入賞せずに落下したアウト球を集合して排出させるアウト口２０が設けられている。アウト口２０の後側には化粧板１４を貫通してアウト球通路孔が形成されており、アウト口２０に集められたアウト球がアウト球通路孔を通って遊技盤１１の裏面側に排出されている。
【００２５】
図２において、遊技盤１１が取り付けられる前枠３の下方部には、遊技補助盤１１ａが形成され、その右方部に打球発射装置１０１が設けられている。打球発射装置１０１は、操作ハンドル９ａの操作レバー９ｂの回動操作に応じて、上球皿ユニット７の上皿部７ａに貯留されている遊技球を１球ずつ遊技盤１１の遊技領域１２へ打ち出す打球発射手段である。
【００２６】
球発射装置１０１は、打撃ハンマ１０２のアームが球発射モータ１０３（図３参照）に連結しており、球発射モータ１０３（図３参照）を駆動することで、打撃ハンマ１０２の槌部が回動して遊技球を打撃し発射させる。
【００２７】
打球発射装置１０１から遊技領域１２までの球路には、傾斜面による発射レール１０４、１０５、裏側誘導部材１１１及び変向誘導部材１１２が設けられている。
【００２８】
発射レール１０４、１０５の間には、打球発射装置１０１の打ち出した遊技球が球速不足等の原因で前記球路を逆行した場合に、この遊技球を下球皿８に排出させるための排出口１０６が設けられている。
【００２９】
裏側誘導部材１１１は、前記遊技領域１２の裏側に設けられ、前記打球発射装置１０１に打ち出された遊技球を前記遊技領域１２の上側に導く。
【００３０】
また、裏側誘導部材１１１は、管状に形成され、管の内側に遊技球が通過する球路を形成している。
【００３１】
また、裏側誘導部材１１１は、下から順に左斜め上方に傾斜する傾斜部１２１、垂直方向に配置する垂直部１２２、右方向に湾曲して末端が前記遊技領域１２の上側中央に配置する湾曲部１２３を連設している。
【００３２】
変向誘導部材１１２は、前記遊技領域１２の上側に設けられ、前記裏側誘導部材１１１から送り出された遊技球を誘導方向の変向を可能にした状態で誘導して隙間部１１４から遊技領域１２に落下させる。
【００３３】
変向誘導部材駆動手段１１３は、前記操作ハンドル９ａの操作に基づいて前記変向誘導部材１１２の誘導方向を変向する。
【００３４】
隙間部１１４は全方向に向かって横方に拡開する形状に形成されるとともに、下面１１４ａが前側斜下方に傾斜して形成されている。
【００３５】
変向誘導部材１１２から送り出された遊技球は、隙間部１１４の下面１１４ａを転がり、変向誘導部材１１２の誘導方向により決まる隙間部１１４の開口１１５の水平方向の位置から遊技領域１２に落下する。
【００３６】
次に、パチンコ遊技機１の裏面側の構造について詳細に説明する。
【００３７】
図３において、遊技盤１１は、収容枠１０の収容面域の内法に合わせた方形サイズで収容枠１０の裏側から着脱可能に形成されている。また、遊技盤１１は、収容枠１０の収容面域の周囲に配設された係合レバー２１ａ、２１ｂ、２１ｃで固定保持されているようになっている。
【００３８】
収容枠１０は、遊技盤１１をセット保持したときに、遊技盤１１の前面が閉鎖状態にあるガラス扉６（図１参照）のガラス板と所定間隔をおいて対向するように構成されており、遊技盤面とガラス板内面との間に遊技球が落下移動する遊技領域空間が形成されている。
【００３９】
また、前枠３の裏側下部には打球発射装置９が取り付けられ、前枠３における収容枠１０の下部に前枠３と一体に遊技補助盤２２が形成されている。なお、遊技補助盤２２の表側には打球発射装置９の打撃ハンマ１０１（図２参照）と位置整合して遊技球を遊技盤の裏側誘導部材１１１（図２参照）に向けて発射する発射レール１０４、１０５（図２参照）や、放音部７ｃ（図１参照）に向けて効果音を発生するスピーカ７ｄ（図２参照）等が取り付けられている。また、遊技補助盤２２は、上球皿ユニット７の裏側に位置し、通常閉鎖状態に保持されている上球皿ユニット７によりその表面側が覆われている。
【００４０】
収容枠１０の裏側には、球貯留供給機構３０や賞球払出機構４０等を有する裏セット盤５０がヒンジ５１ａ、５１ｂにより横開き可能となって前枠３の裏側に支持されている。裏セット盤５０は、前枠３の裏面を覆う閉止状態で閉止レバー５２ａ、５２ｂ、５２ｃにより前枠３に係止保持されているようになっている。
【００４１】
球貯留供給機構３０は、基本的な構成として、予備賞球用のタンク部材３１、タンク部材３１内に貯留された予備賞球を整列して供給させる整列樋部材３２、遊技機の作動状態を遊技施設側に出力するためのターミナル制御部３３や、その他の関連機構・部材等が装備されて構成されている。
【００４２】
整列樋部材３２は、タンク部材３１から供給された予備賞球を整列状に収容して下端の変向出口３４に送出し得るようになっている。
【００４３】
ターミナル制御部３３では、図示しないが遊技ホール側からの電源、パチンコゲーム内容の情報、球切れ情報等に係る必要な回路、デバイス及び電線（コード）用コネクタ、アース端子等が配置、接続されている。
【００４４】
賞球払出機構４０は、裏セット盤５０の盤本体をなす開閉基枠体４１に、球貯留供給機構３０の変向出口３４に繋がる球切れ検出スイッチ４２、変向出口３４から送出されている賞球を整列待機通路に整列待機させる整列待機通路部材４３、整列待機通路部材４３からの賞球を受け取り所定の払出条件に基づいて払い出す賞球カセット４４、賞球カセット４４から排出された賞球を球皿側へ排出する賞球排出経路、これらの関連機構・部材等が設けられて構成されている。
【００４５】
球切れ検出スイッチ４２は、賞球として払い出すに充分な予備賞球が整列待機通路部材４３に保持されているか否かを検出するためのものである。
【００４６】
なお、この開閉基枠体４１は、遊技済み球（セーフ球とアウト球）の集合排出経路が設けられるとともに、球貯留供給機構３０に一体に繋がっており、裏セット盤５０は、球貯留供給機構３０、賞球払出機構４０及び開閉基枠体４１を含めた全体がユニット化されたセット部材として構成されている。
【００４７】
さらに、裏セット盤５０の各部には、このパチンコ遊技機１の作動を統括的に制御する主制御基板９１や、賞球の払出制御を行う賞球制御基板９２、効果照明や効果音の作動制御を行うランプ・音声制御基板９３、各制御基板や電子部品に所定の電力を供給する電源基板９４、複数のコネクタが取り付けられて制御信号や電力の中継を行う中継基板９５、液晶表示装置１００（図１参照）用の表示制御基板９６等が設けられている。
【００４８】
次に、図５及び図６を用いて、変向誘導部材１１２及び変向誘導部材駆動手段１１３について詳細に説明する。
【００４９】
図５において、変向誘導部材１１２は、樋形に形成されており、上方に向けて開口する溝部１３１を有する。変向誘導部材１１２は、先端側の端面１３２が開口し、基端側の端面１３３が閉塞している。裏側誘導部材１１１（図４参照）から送り出された遊技球は、溝部１３１内を転がる。
【００５０】
変向誘導部材１１２は、先端側を下方に向けて傾斜した状態で下面の基端側が回転軸１３４の上端に取り付けられている。回転軸１３４は、遊技盤１１（図２参照）のフレームに回転可能な状態で取り付けられている。回転軸１３４の中間部には、スパーギア１３５が固定して取り付けられている。スパーギア１３５はステッピングモータ１４１の回転軸１４２に取り付けられたピニオンギア１４３と噛み合う。このような構造により、ステッピングモータ１４１を回転駆動させることで、変向誘導部材１１２を回転駆動させ、変向誘導部材１１２の誘導方向の変向できる。
【００５１】
図６において、変向誘導部材駆動手段１１３は、操作ハンドル９ａに設けられたエンコーダ１５１と主制御基板９１（図３参照）とモータ駆動回路１５２とステッピングモータ１４１とから構成されている。
【００５２】
エンコーダ１５１は、操作ハンドル９ａにおける操作レバー９ｂ（図１参照）の回転角を検出し、この検出結果の検出データを主制御基板９１に供給する。主制御基板９１は、エンコーダ１５１の検出データに基づいてステッピングモータ１４１を何ステップ回転させるかを示すコマンドデータを作成し、モータ駆動回路１５２に供給する。モータ駆動回路１５２はコマンドデータに基づいて駆動パルスを生成してステッピングモータ１４１に供給することでステッピングモータ１４１を所定のステップ数で回転駆動する。
【００５３】
このような構成により、変向誘導部材駆動手段１１３は、前記操作ハンドル９aの操作に基づいて前記変向誘導部材１１２の誘導方向を変向する。
【００５４】
次に、パチンコ遊技機１におけるゲーム動作の概要を説明する。
【００５５】
パチンコ遊技機１は、上球皿ユニット７およびガラス扉６が閉止施錠された状態で遊技に供され、球皿部７ａに遊技球を貯留させて操作ハンドル９ａの操作レバー９ｂを回動操作することにより遊技が開始されている。操作ハンドル９ａの操作レバー９ｂが回動操作されていると、球皿部７ａに貯留する遊技球が図示しない球送り装置によって１球ずつ発射レール上に送り出され、打球発射装置９の打撃ハンマ１０２に打ち出されて遊技盤１１の裏側誘導部材１１１及び変向誘導部材１１２に沿って遊技領域１２に導かれ、以降パチンコゲームが展開されている。
【００５６】
ここで遊技者は、前記操作ハンドル９ａの操作レバー９ｂの回動操作角を調整することで、前記変向誘導部材１１２の誘導方向を調整し、遊技球が落下する隙間部１１４の開口１１５の水平方向の位置を調整する。
【００５７】
遊技者がこのような落下位置の調整を行いながら、遊技領域１２に導かれた遊技球が各入賞具１７、１８、１９に入賞すると、各入賞具に取り付けられた入賞球検出センサによって入賞したセーフ球が検出され、その入賞具の種類や遊技状況に応じた所定数の賞球が賞球払出機構４０（図３参照）から上球皿ユニット７もしくは下球皿８に払い出されている。また、遊技盤１１の前面側の液晶表示装置１００は、遊技盤１１の裏面側に取り付けられた表示制御基板９６により制御されて前述の遊技状況に応じた種々の表示がなされている。
【００５８】
一方、遊技領域１２に導かれた遊技球が入賞具１７、１８、１９に入賞せずに落下すると、アウト球としてアウト口２０に集合し、アウト球通路孔を通って遊技盤１１の裏面側に排出されている。
【００５９】
かかる構成のパチンコ遊技機１によれば、前記打球発射装置１０１に打ち出された遊技球が前記遊技領域１２の裏側に設けられた裏側誘導部材１１１を介して前記遊技領域１２の上側に導かれるので、全体のサイズを変更することなく遊技領域１２を拡大することができで、遊技領域の設計の自由度が高まり、遊技領域に設ける役物や画像表示装置を大型化する等を行える。このことを具体的に説明すると、図４に示すように、パチンコ遊技機１の外枠２の幅が５２０ｍｍの場合、遊技領域１２を５００ｍｍまで拡大できる。
【産業上の利用可能性】
【００６０】
本発明は、パチンコ遊技機に限らず、スロットマシン用等その他の遊技機に用いられるパチンコ遊技機にも応用することができる。
【図面の簡単な説明】
【００６１】
【図１】図１は、本発明の一実施形態によるパチンコ遊技機の表側側の外観構造を表した正面図である。
【図２】図２は、本発明の一実施形態によるパチンコ遊技機のガラス扉を取り外し上球皿ユニットを開いた状態を示す正面図である。
【図３】図３は、本発明の一実施形態によるパチンコ遊技機の裏面側の構造を表した図である。
【図４】図４は、本発明の一実施形態によるパチンコ遊技機の上部の断面図である。
【図５】図５は、本発明の一実施形態による変向誘導部材及びその周辺部の断面図である。
【図６】図６は、本発明の一実施形態による変向誘導部材駆動手段のブロック図である。
【符号の説明】
【００６２】
１…パチンコ遊技機、２…外枠、３…前枠、
４ａ、４ｂ…開閉連結支持機構、５…施錠装置、６…ガラス扉、
７…上球皿ユニット７ａ…球皿部、７ｂ…レバー、７ｃ…放音部、
８…下球皿、８ａ…球皿部、８ｂ…球出口、９…打球発射装置、
９ａ…操作ハンドル、９ｂ…操作レバー、１０…収容枠、１１…遊技盤、
１２…遊技領域、１３…裏機構、１４…化粧板、
１５…遊技釘、１６…風車、１７…一般入賞具、
１８…始動入賞具、１９…アタッカー入賞具、
１８ａ、１８ｂ…チューリップ羽根、１９ａ…開閉扉、
２０…アウト口、２１ａ、２１ｂ、２１ｃ…係合レバー、
２２…遊技補助盤、３０…球貯留供給機構、４０…賞球払出機構、
５０…裏セット盤、５１ａ、５１ｂ…ヒンジ、
５２ａ、５２ｂ、５２ｃ…閉止レバー、３１…タンク部材、
３２…整列樋部材、３３…ターミナル制御部、
４１…開閉基枠体、４２…球切れ検出スイッチ、３４…変向出口、
４３…整列待機通路部材、４４…賞球カセット、
９１…主制御基板、９２…賞球制御基板、
９３…ランプ・音声制御基板、９４…電源基板、９５…中継基板、
９６…表示制御基板、１００…液晶表示装置、１０１…打球発射装置、
１０２…打撃ハンマ、１０３…球発射モータ、１０６…排出口、
１０４、１０５…発射レール、１１１…裏側誘導部材、
１１２…変向誘導部材、１１３…変向誘導部材駆動手段、
１１４…隙間部、１１４ａ…下面、１１５…開口、
１２１…傾斜部、１２２…垂直部、１２３…湾曲部、
１３１…溝部、１３２…端面、１３３…端面、１３４…回転軸、
１３５…スパーギア、１３５…スパーギア、
１４１…ステッピングモータ、１４２…回転軸、１４３…ピニオンギア、
１５１…エンコーダ、１５２…モータ駆動回路
【図１】
2007236795.tif 000003
【図２】
2007236795.tif 000004
【図３】
2007236795.tif 000005
【図４】
2007236795.tif 000006
【図５】
2007236795.tif 000007
【図６】
2007236795.tif 000008